(57)【要約】【課題】調理済み食品等の食品とカップ入り飲料を一緒に収容することができる包装用キャリア及びそれを使用した包装体を提供する。【解決手段】包装体Ｐは、底部シート１３、１４、その端部につながり底部シートと鋭角、鈍角又は直角を成して設けられた複数の側部シート１１、１２、各側部シートの端部に側部シートと鋭角、鈍角又は直角を成してつながり底部シート１３、１４の上側に底部シートと並行するように設けられカップ入り飲料を保持するカップ保持穴１５１、１５１ａ、各側部シート１１、１２及び底部シート１３、１４との間で食品収容部１９を形成する食品収容部形成部である脚部及び接面部を有する上部シート１０を有する包装用キャリア１と、包装用キャリア１を収容する包装袋２を備えている。【選択図】図７
2015058956.tif 000002
【特許請求の範囲】
【請求項１】
底部シートと、
該底部シートの端部につながり、前記底部シートと鋭角、鈍角又は直角を成して設けられた複数の側部シートと、
該各側部シートの端部に前記側部シートと鋭角、鈍角又は直角を成してつながり、前記底部シートと略並行するよう設けられ、カップを保持するカップ保持部を有すると共に、前記各側部シート及び前記底部シートとの間で食品収容部が形成された上部シートとを備える
包装用キャリア。
【請求項２】
前記底部シート、前記各側部シート及び前記上部シートが紙製で、前記底部シートと前記各側部シート、及び前記各側部シートと前記上部シートの各境界に弱め線部が形成されている
請求項１の包装用キャリア。
【請求項３】
全体が平らに形成されており、
底部シートと、
該底部シートに弱め線部を介しつながっている複数の側部シートと、
該側部シートに弱め線部を介しつながり、カップを保持するカップ保持部を有すると共に、組み立て時において前記側部シート及び前記底部シートとの間で食品収容部を形成する食品収容部形成部を有する上部シートとを備える
包装用キャリア。
【請求項４】
底部シートと、該底部シートの端部につながり、前記底部シートと鋭角、鈍角又は直角を成して設けられた複数の側部シートと、該各側部シートの端部に前記側部シートと鋭角、鈍角又は直角を成してつながり、前記底部シートと略並行するよう設けられ、カップを保持するカップ保持部を有すると共に、前記各側部シート及び前記底部シートとの間で食品収容部が形成された上部シートとを備える包装用キャリアと、
該包装用キャリアを収容する包装袋とを備える
包装体。
【請求項５】
前記包装袋が下側にガゼット部を設けたプラスチック袋であり、折り畳み時の前記ガゼット部の中央折り曲げ部と前記包装袋両端の熱溶着封止部との交点から前記包装袋底部の両底折り曲げ部にかけて、前記両底折り曲げ部につながるそれぞれ二重となったシート又はフィルムを熱溶着したシール部を有する
請求項４の包装体。
【請求項６】
前記包装袋が下側にガゼット部を設けたプラスチック袋であり、折り畳み時の前記ガゼット部の中央折り曲げ部と前記包装袋両端の熱溶着封止部との交点から前記包装袋底部の両底折り曲げ部にかけて、前記両底折り曲げ部につながるそれぞれ二重となったシート又はフィルムを線状に熱溶着したシール部を有し、該シール部は前記中央折り曲げ部の方向に対し斜めに形成されている
請求項４の包装体。
【請求項７】
紙製のシートを立体形状に組み立てて形成されており、
カップを保持するカップ保持部と、
食品を収容する食品収容部とを備える
包装用キャリア。
【発明の詳細な説明】
【技術分野】
【０００１】
本発明は、包装用キャリア及びそれを使用した包装体に関するものである。更に詳しくは、調理済み食品等の食品とカップ入り飲料を一緒に収容することができる包装用キャリア及びそれを使用した包装体に関する。
【背景技術】
【０００２】
コンビニエンスストアやハンバーガーショップ等で販売されるコーヒーやコーラ等のカップ入り飲料の持ち帰りの際には、カップが傾いたり倒れたりして内容物がこぼれることがないように、プラスチック袋等の包装袋の中に、紙シート等で立体的に形成した組立式のキャリア(carrier)を収容し、そのキャリアのカップ保持部によりカップ入り飲料を保持して安定させるようにしていた。
【０００３】
このようなキャリアとしては、例えば特許文献１に開示されたものがある。
特許文献１に開示されているキャリア（カップホルダー）は、紙製で、所定の形状に型抜きしたシートを組み立てて、カップ保持部を有する立体形状とした構造である。そして、キャリアは、上記のように、通常は持ち運び用の包装袋に収容して組み合わせた形態の包装体として使用されるものである。
【先行技術文献】
【特許文献】
【０００４】
【特許文献１】特開２００５−３２００２１号公報
【発明の概要】
【発明が解決しようとする課題】
【０００５】
しかしながら、上記特許文献１に記載の従来のキャリア、及びキャリアを包装袋に収容した形態の包装体には、次のような課題があった。
すなわち、キャリアには、カップ保持部しか形成されていないので、従来のキャリアは、カップ入り飲料のカップ専用のキャリアであり、他の食品等の持ち運びには利用できなかった。
【０００６】
一方、コンビニエンスストアやハンバーガーショップ等では、飲料だけでなく、ハンバーガーやチキンの唐揚げ等の各種調理済み食品も販売されており、これら調理済み食品とカップ入り飲料を一緒に買う客も多い。このような場合、レジでは、カップ入り飲料はキャリアを使用した包装体で包装し、調理済み食品は包装体とは別の包装袋に収容して客に渡すことになる。しかし、これらを客が仮に片方の手で提げた場合、カップ入り飲料が入った包装体と調理済み食品が入った包装袋は互いに干渉することになり、包装袋の中のキャリアが傾く等してカップ入り飲料が不安定になりやすく、内容物がこぼれてしまうおそれがあった。
【０００７】
また、キャリアは、通常、レジで客の注文を受けてから、店員が立体形状に組み立てて包装袋に入れるようにしているが、キャリアの組み立て時の外寸は、包装袋内での収まりをよくするために、開いた包装袋の寸法より僅かに小さいだけであり、キャリアを包装袋の中にスムーズに入れることは難しい。しかも、上記キャリア等の箱状のものを安定よく収容するために通常使用されるガゼット袋は、ガゼット部を開いたときに、袋両端部の熱溶着封止部側のシートの重なり部分が滑るために袋底部の形をつくりにくく、つくっても崩れやすい。このことも、キャリアを包装袋に入れにくくする要因となっていた。
【０００８】
なお、レジ作業を簡単にするため、あらかじめキャリアを組み立てて立体形状にしておく方法や、更に立体形状に組み立てたキャリアを包装袋に収容して準備しておく方法等も考えられる。しかし、このようにして準備したものは立体化して嵩張るので、コンビニエンスストアやハンバーガーショップ等の狭い店舗内では収容スペースに余裕がないこともあり、前記課題の対策としては現実的ではなかった。
【０００９】
本発明は、以上の点に鑑みて創案されたものであり、調理済み食品等の食品とカップ入り飲料を一緒に収容することができる包装用キャリア及びそれを使用した包装体を提供することを目的とする。
また、本発明の他の目的は、上記目的に加えて、立体形状に組み立てた包装用キャリアをガゼット袋である包装袋の中に、より安定した状態で容易に入れることができ、包装用キャリアを包装袋に収容した形態の包装体を手早く簡単につくることができるようにすることである。
【課題を解決するための手段】
【００１０】
（１）本発明は、底部シートと、該底部シートの端部につながり、前記底部シートと鋭角、鈍角又は直角を成して設けられた複数の側部シートと、該各側部シートの端部に前記側部シートと鋭角、鈍角又は直角を成してつながり、前記底部シートと略並行するよう設けられ、カップを保持するカップ保持部を有すると共に、前記各側部シート及び前記底部シートとの間で食品収容部が形成された上部シートとを備える包装用キャリアである。
【００１１】
（２）本発明の包装用キャリアは、前記底部シート、前記各側部シート及び前記上部シートが紙製で、前記底部シートと前記各側部シート、及び前記各側部シートと前記上部シートの各境界に弱め線部が形成されている構成とすることもできる。
【００１２】
この場合、弱め線部において、各シートをシートの表裏側へ折り曲げたり、或いは伸ばしたりすることができるので、折り畳みや伸展（又は展開）が自在にできる。したがって、包装用キャリアの販売、保管、運搬等、様々な取り扱いの各状況において、その状況に最も適した形状（形態）に適宜変形させることができる。
【００１３】
（３）本発明は、全体が平らに形成されており、底部シートと、該底部シートに弱め線部を介しつながっている複数の側部シートと、該側部シートに弱め線部を介しつながり、カップを保持するカップ保持部を有すると共に、組み立て時において前記側部シート及び前記底部シートとの間で食品収容部を形成する食品収容部形成部を有する上部シートとを備える包装用キャリアである。
【００１４】
（４）本発明は、底部シートと、該底部シートの端部につながり、前記底部シートと鋭角、鈍角又は直角を成して設けられた複数の側部シートと、該各側部シートの端部に前記側部シートと鋭角、鈍角又は直角を成してつながり、前記底部シートと略並行するよう設けられ、カップを保持するカップ保持部を有すると共に、前記各側部シート及び前記底部シートとの間で食品収容部が形成された上部シートとを備える包装用キャリアと、該包装用キャリアを収容する包装袋とを備える包装体である。
【００１５】
（５）本発明の包装体は、前記包装袋が下側にガゼット部を設けたプラスチック袋であり、折り畳み時の前記ガゼット部の中央折り曲げ部と包装袋底部の両底折り曲げ部の間で、且つ袋両端部の熱溶着封止部側において、前記両底折り曲げ部につながるそれぞれ二重となったシート又はフィルムを熱溶着したシール部を有する構成とすることもできる。
【００１６】
この場合、包装袋のガゼット部を拡げたときに、通常のガゼット部では、袋両端部の熱溶着封止部側の重なったシート又はフィルムがずれて位置が定まらず、ずれを直し位置を合わせる手間を要する結果、袋底部の形（特に隅角部）をつくりにくかったのに対し、袋底部の形を簡単につくることができる。
すなわち、包装袋が、両底折り曲げ部につながるそれぞれ二重となったシート又はフィルムを熱溶着したシール部を有しているので、ガゼット部を拡げたときに、袋両端部の熱溶着封止部側の重なったシート又はフィルムの位置がすでに決まっており、例えば包装袋の内側から底角部等の要部を手で押し拡げる簡単な作業で、袋底部の形をつくることができ、その形が崩れにくい。
したがって、立体形状に組み立てた包装用キャリアをガゼット袋である包装袋の中に、より安定した状態で容易に入れることができ、包装用キャリアを包装袋に収容した形態の包装体を手早く簡単につくることができる。
【００１７】
（６）本発明の包装体は、前記包装袋が下側にガゼット部を設けたプラスチック袋であり、折り畳み時の前記ガゼット部の中央折り曲げ部と前記包装袋両端の熱溶着封止部との交点から前記包装袋底部の両底折り曲げ部にかけて、前記両底折り曲げ部につながるそれぞれ二重となったシート又はフィルムを線状に熱溶着したシール部を有し、該シール部は前記中央折り曲げ部の方向に対し斜めに形成されている構成とすることもできる。
【００１８】
この場合、上記袋両端部の熱溶着封止部側の重なったシート又はフィルムの位置がすでに決まっており、袋底部の形を簡単につくることができる等の作用に加えて、両底折り曲げ部にシール部が交わる位置の違いによって、ガゼット部を拡げたときに形成される袋底部の幅を適宜設定することができる。すなわち、中央折り曲げ部の方向に対するシール部の傾斜角を大きくすれば交わる位置が袋両端に近くなって袋底部の幅が小さくなり、傾斜角を小さくすれば交わる位置が袋両端から遠くなって袋底部の幅が大きくなる。
【００１９】
（７）本発明は、紙製のシートを立体形状に組み立てて形成されており、カップを保持するカップ保持部と、食品を収容する食品収容部とを備える包装用キャリアである。
【００２０】
本明細書及び特許請求の範囲にいう包装用キャリアを形成する「シート」の用語は、厚紙や段ボール等の紙材料、或いは合成樹脂等で形成した二次元形状（平板又は平坦形状）のシートの他、ブランク（プレスで抜き加工した二次元形状の加工品素材、未完成紙片、又は半加工紙片等）及びウエブを含む概念で使用している。
【００２１】
本明細書及び特許請求の範囲にいう「弱め線部」とは、例えばシートの厚さを周囲の厚さより薄く形成して線状とした部分、またシートを押圧して厚さを周囲の厚さより薄くして線状とした部分、或いはいわゆるミシン目等、切り込み線を断続して形成し線状とした部分等であり、人の手による折り曲げをしやすくした線部をいう。
【００２２】
本明細書及び特許請求の範囲にいう「食品収容部形成部」とは、例えば上部シートの一部が底部シート側へ曲がるようにして凹部を形成するようにしたもの、或いは上部シートの一部を切除して底部シートを底にした凹部を形成するようにしたもの等であるが、各側部シート及び前記底部シートとの間で、あるいはそれらと協働して食品収容部を形成することができれば、上記構成に限定はされない。
【００２３】
本明細書及び特許請求の範囲にいう「組み立て」の用語は、例えば複数の構成体を組み合わせてつくり上げる意味の他、一つの構成体を変形したり折り曲げる等してつくり上げる意味を含むものである。
また、包装袋の素材としては、特に限定するものではなく、例えばプラスチックフィルムの他、合成紙シート、不織布シート等が好適に採用される。
【００２４】
本明細書及び特許請求の範囲にいう「シール部」は、折り畳み時の前記ガゼット部の中央折り曲げ部と包装袋底部の両底折り曲げ部の間で、且つ袋両端部の熱溶着封止部側において、例えば直線状に設ける他、スポット的、或いは断続的に設けることもできる。また、スポット的又は断続的に設けるこの場合、シール部を直線的に配置することもできるし、曲線的、或いはランダムに配置することもできる。
【００２５】
（作用）
本発明の包装用キャリア及び包装体の作用を説明する。
包装用キャリアは、カップ保持部を備えると共に、上部シートと各側部シート及び底部シートとの間で食品収容部が形成されている。これにより、例えばコンビニエンスストアやハンバーガーショップ等において、客がカップ入り飲料とハンバーガーやチキンの唐揚げ等の調理済み食品を一緒に買った場合でも、カップ入り飲料のカップをカップ保持部で保持し、調理済み食品を食品収容部に収容することができる。
実際の使用では、レジにおいて、包装袋に入れた包装用キャリアに、上記のようにカップ入り飲料と調理済み食品等の食品を収容することができ、包装袋と包装用キャリアからなる一つの包装体でカップ入り飲料と調理済み食品をまとめて包装し、持ち運ぶことができる。
【００２６】
また、上記底部シートと側部シート及び上部シートを有し、全体が平らに形成された包装用キャリアは、体積が最小になっているので、積み重ねることで大量に管理することができ、運搬や保管の際のスペース効率に優れる。また、各シートの境界にある弱め線部で折り曲げることにより、形状を様々に変えることができるので、例えば保管場所の形状や包装容器の形状に合わせることが可能になり、スペース効率を上げる上での自由度も高い。
【発明の効果】
【００２７】
本発明は、調理済み食品等の食品とカップ入り飲料を一緒に収容することができる包装用キャリア及びそれを使用した包装体を提供することができる。
【００２８】
また、本発明の包装体は、立体形状に組み立てた包装用キャリアを包装袋の中に、より安定した状態で容易に入れることができ、包装用キャリアを包装袋に収容した形態を手早く簡単につくることができる。
【図面の簡単な説明】
【００２９】
【図１】本発明の包装用キャリアの一実施の形態を示す斜視図である。
【図２】図１に示す包装用キャリアのＡ−Ａ断面図である。
【図３】包装用キャリアの展開図である。
【図４】本発明の包装体を構成する包装袋の一実施の形態を示す畳んだ状態の斜視図である。
【図５】図４に示す包装袋の拡げた状態の斜視図である。
【図６】図５におけるＢ−Ｂ部分拡大端面図である。
【図７】本発明の包装体の形態及び包装体の使用状態を示す斜視図である。
【発明を実施するための形態】
【００３０】
本発明を図面に示した実施の形態に基づき詳細に説明する。
図１、図２及び図３を参照する。
包装用キャリア１は、全体が紙製のシートでつくられている。シートは、包装用キャリア１を組み立てたときに、その立体形状を維持すると共に、収容したカップ入り飲料や調理済み食品の荷重が作用しても変形しにくい充分な強度を有している。シートとしては、例えば厚紙等の紙製のシートの他、薄手の段ボールのシート等が好適に採用される。
【００３１】
図３を参照し、平らな状態（展開状態）の包装用キャリア１の構造を説明する。
包装用キャリア１は、外形が長方形状の上部シート１０を有している。上部シート１０の短手方向の両端辺部には、側部シート１１、１２がつながっており、上部シート１０と側部シート１１、１２の境には、弱め線部１０１、１０２が形成されている。
【００３２】
側部シート１１、１２の短手方向の外側端辺部には、長方形状の底部シート１３、１４がつながっており、側部シート１１、１２と底部シート１３、１４の境には、弱め線部１１０、１２０が形成されている。底部シート１３、１４を合わせた外形の大きさは、上部シート１０の外形の大きさとほぼ同じである。
【００３３】
上部シート１０は、長手方向の両端側に設けられている保持部１５、１５ａを有している。保持部１５、１５ａの内方向の端辺部には、脚部１６、１６ａがつながっている。保持部１５、１５ａと脚部１６、１６ａの境には、弱め線部１５０、１５０ａが形成されている。脚部１６、１６ａの内方向の端辺部には、接面部１７、１７ａがつながっている。脚部１６、１６ａと接面部１７、１７ａの境には、弱め線部１６０、１６０ａが形成されている。なお、脚部１６、１６ａ及び接面部１７、１７ａは、側部シート１１、１２及び底部シート１３、１４との間で、後述する食品収容部１９を形成する食品収容部形成部を構成するものである。
【００３４】
上記保持部１５、１５ａのそれぞれには、上部シート１０の短手方向に並設してカップ保持部であるカップ保持穴１５１、１５１及びカップ保持穴１５１ａ、１５１ａが形成されている。各カップ保持穴１５０、１５０ａは何れも円形の穴であり、その内周縁部にはそれぞれ複数の当て片１５２、１５２ａが内方へ突出して形成されている。各当て片１５２、１５２ａが基端から下方へ折れ曲がることで、各カップ保持穴１５１、１５１ａが実質的に円形の穴になる。なお、各カップ保持穴１５１、１５１ａは、周縁部が弱め線１５０、１５０ａに掛かる位置に形成されている。
【００３５】
上記脚部１６、１６ａは、長手方向の長さが上部シート１０の短手方向の長さとほぼ同じであり、短手方向の長さは側部シート１１、１２の短手方向の長さとほぼ同じである。また、接面部１７、１７ａの短手方向の長さは、脚部１６、１６ａの短手方向の長さよりやや長く形成されている。接面部１７、１７ａには、上部シート１０の短手方向の二箇所に並設して、延長片１７０、１７０ａが形成されている。延長片１７０、１７０ａは、脚部１６、１６ａに半円形に切り込みを入れ、これにより脚部１６、１６ａと分離した半円形状であり、組み立て時には接面部１７、１７ａの面方向と平行になるようにする（図１参照）。
【００３６】
上記脚部１６及び接面部１７と脚部１６ａ及び接面部１７ａは、上部シート１０の長手方向の中央部にＨ形の切込部１８を設けることにより、相互に、且つ側部シート１１、１２と分割されている。この切込部１８は、上部シート１０の長手方向中央部に短手方向の全長にわたり設けられた切込線１８０と、切込線１８０の両端部と交わり、切込線１８０を中央にして長手方向に設けられた切込線１８１、１８２からなる。切込線１８１、１８２は、それぞれ上記弱め線部１５０、１５０ａと交わる位置まで延設されている。すなわち、上記弱め線部１０１、１０２を介し側部シート１１、１２とつながっているのは、上部シート１０のうち保持部１５、１５ａだけであり、脚部１６及び接面部１７と脚部１６ａ及び接面部１７ａはつながっていない。
【００３７】
なお、平らな状態の包装用キャリア１は、底部シート１３、１４、各側部シート１１、１２及び上部シート１０が紙製で、底部シート１３、１４と各側部シート１１、１２、及び各側部シート１１、１２と上部シート１０が弱め線部１１０、１２０、１０１、１０２、を介してつながっている。これにより、各弱め線部において、各シートをシートの表裏側へ折り曲げたり、或いは伸ばしたりすることができるので、折り畳みや伸展（又は展開）が自在にできる。したがって、包装用キャリアの販売、保管、運搬等、様々な取り扱いの状況において、その状況に最も適した形状（形態）に適宜変形させることができる。
【００３８】
次に、図１及び図２を参照して、上記展開状態の包装用キャリア１を組み立てて立体形状とした包装用キャリア１の構造を説明する。
包装用キャリア１は、同一平面に沿うように並設されている底部シート１３、１４を有している。底部シート１３、１４のそれぞれの外側の端辺部には、側部シート１１、１２が弱め線部１１０、１２０で折り曲げられ、底部シート１３、１４と直角を成してつながっている。側部シート１１、１２の上側の長手方向の両端側には、上部シート１０の保持部１５、１５ａが弱め線部１０１、１０２で折り曲げられ、側部シート１１、１２と直角を成してつながっている。保持部１５、１５ａは、底部シート１３、１４に対し、平行である。また、各カップ保持穴１５１、１５１ａの周縁部の各当て片１５２、１５２ａは、下方へやや傾斜するように元部で曲げられている。
【００３９】
脚部１６、１６ａと接面部１７、１７ａは、上記したように切込線１８１、１８２（図３参照）で側部シート１１、１２とは切り離されており、接面部１７、１７ａは切込線１８０（図３参照）で切り離されているので、弱め線部１５０、１５０ａ、１６０、１６０ａで折り曲げることができる。そして、脚部１６、１６ａは、保持部１５、１５ａに対し下方へ直角に折り曲げられ、接面部１７、１７ａは、脚部１６、１６ａに対し直角に、且つ互いに向かい合う方向へ折り曲げられている。接面部１７、１７ａは、底部シート１３、１４の上面に接面し、上記したように各延長片１７０、１７０ａは、接面部１７、１７ａの面方向と平行になっている。なお、各延長片１７０、１７０ａは、組み立て後の脚部１６、１６ａの傾きを防ぐ助けとなる。
【００４０】
これにより、包装用キャリア１の長手方向の中央部には、底部シート１３、１４、側部シート１１、１２及び上部シート１０の脚部１６、１６ａ、接面部１７、１７ａにより、平面視四角形状の食品収容部１９が形成されている。食品収容部１９は、カップ保持穴１５１、１５１とカップ保持穴１５１ａ、１５１ａの間にあり、カップ入り飲料と調理済み食品等の食品を収容したときにバランスが取りやすいように配置されている。
なお、食品収容部とカップ保持穴の相互の配置は、本実施の形態の配置に限定されるものではなく、例えば食品収容部とカップ保持穴をそれぞれ片側に設けた配置、或いは中央にカップ保持穴を設けその両側に調理済み食品収容部を設けた配置等が採用できる。また、本実施の形態では、底部シート１３、１４が分かれているが、一枚物のシートとすることもできる。
【００４１】
図４、図５及び図６を参照し、ガゼット袋である包装袋２の構造を説明する。
包装袋２は、プラスチックフィルムで形成され、上部及び下部にガゼット部を設けて両側端辺部を熱溶着することで熱溶着封止部２０、２０ａを設け、上部ガゼット部２１を中央折り曲げ部（符号省略）で切り開いて、上部開口部２２を形成した袋である。包装袋２は、下部ガゼット部２３を拡げることで底部の形を決めることができるので、上記包装用キャリア１を安定よく収容するために好適である。
包装袋２の上部開口部２２側のフィルムが二重（又は二層）となった部分の下端寄りには、熱溶着されたシール部２１０が全周にわたり設けられている。また、フィルムが二重となった部分の折り畳んだ時の中央部分には、打ち抜きにより長円形状の把手穴２１１、２１２が形成されている。
【００４２】
包装袋２の下部側には、折り畳み時の下部ガゼット部２３の中央折り曲げ部２３０と包装袋両端の熱溶着封止部２０、２０ａとの交点Ｐ１、Ｐ２から包装袋底部の両底折り曲げ部２３１、２３２にかけて、両底折り曲げ部２３１、２３２につながるそれぞれ二重となったフィルム２３５、２３６を熱溶着することにより、熱溶着封止部２０側にシール部２３３、２３４が設けられ、熱溶着封止部２０ａ側にシール部２３３ａ、２３４ａが設けられている。余剰部のフィルム２３７は、各シール部に沿って折り曲げられている（図６参照）。シール部２３３、２３４及びシール部２３３ａ、２３４ａは、中央折り曲げ部２３０の方向に対し所要の角度で傾斜し、且つ直線的に形成されている。
【００４３】
本実施の形態におけるシール部２３３、２３４及びシール部２３３ａ、２３４ａの傾斜角度は、約４５°であるが、これに限定されるものではなく、必要に応じて適宜設定できる。すなわち、両底折り曲げ部２３１、２３２にシール部２３３、２３４が交わる交点Ｐ３、Ｐ３及びシール部２３３ａ、２３４ａが交わる交点Ｐ４、Ｐ４の位置の違いによって、下部ガゼット部２３を拡げたときに形成される袋底部の幅を適宜設定することができる。例えば、中央折り曲げ部２３０の方向に対するシール部２３３、２３４及びシール部２３３ａ、２３４ａの傾斜角を大きくすれば、交わる交点Ｐ３、Ｐ４が袋両端の熱溶着封止部２０、２０ａに近くなって袋底部の幅が小さくなり、傾斜角を小さくすれば、交わる交点Ｐ３、Ｐ４が熱溶着封止部２０、２０ａから遠くなって袋底部の幅が大きくなる。
【００４４】
（作用）
図１ないし図７を参照して、包装体Ｐ及びその作用について説明する。
例えば、ハンバーガーショップのレジで、客がカップ入り飲料とハンバーガーをオーダーし、これを持ち帰る場合、レジでは次のように包装を行う。
まず、包装袋２に、図１のように立体形状に組み立てた包装用キャリア１を収容し、包装体Ｐをつくる。
包装袋２は、下側にガゼット部２３を設けたガゼット袋であり、ガゼット部２３の中央折り曲げ部２３０と包装袋底部の両底折り曲げ部２３１、２３２の間で、それぞれ二重となったフィルム２３５、２３６を熱溶着したシール部２３３、２３４、２３３ａ、２３４ａを有する。
【００４５】
これにより、包装袋２のガゼット部２３を拡げたときに、袋両端部の熱溶着封止部２０、２０ａ側の重なったフィルム２３５、２３６、２３７の各フィルムの位置がすでに決まっており、包装袋２の内側から底角部等の要部を手で押し拡げる簡単な作業で、包装袋２の底部の形をつくることができ、その形が崩れにくい。したがって、立体形状に組み立てた包装用キャリア１を包装袋２の中に、より安定した状態で容易に入れることができ、包装用キャリア１を包装袋２に収容した形態の包装体Ｐを手早く簡単につくることができる。
【００４６】
また、包装用キャリア１は、カップ保持部１５１、１５１ａを備えると共に、上部シート１０と各側部シート１１、１２及び底部シート１３、１４との間で食品収容部１９を形成するようになっている。これにより、客がカップ入り飲料３と容器入りのハンバーガー４を一緒に買った場合（本実施の形態では、それぞれ４個ずつ）でも、各カップ入り飲料３のカップをカップ保持部１５１、１５１、１５１ａ、１５１ａで保持し、ハンバーガー４を食品収容部１９に並べて収容することができる（図７参照）。
【００４７】
このように、包装袋２に入れた包装用キャリア１に、上記のように各カップ入り飲料３と各ハンバーガー４を収容することができ、包装袋２と包装用キャリア１からなる一つの包装体Ｐでカップ入り飲料３とハンバーガー４をまとめて包装し、持ち帰ることができる。したがって、従来のようにカップ入り飲料が入った包装体と調理済み食品を収容した包装袋を客が片方の手で提げた場合とは相違して、それら互いに干渉するようなことはなく、包装袋２の中の包装用キャリア１は安定し、カップ入り飲料３が不安定になりにくいので、内容物がこぼれてしまうおそれもない。
【００４８】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４９】
Ｐ  包装体
１  包装用キャリア
１０  上部シート
１０１、１０２  弱め線部
１１、１２  側部シート
１１０、１２０  弱め線部
１３、１４  底部シート
１５、１５ａ  保持部
１５０、１５０ａ  弱め線部
１６、１６ａ  脚部
１６０、１６０ａ  弱め線部
１７、１７ａ  接面部
１５１、１５１ａ  カップ保持穴
１５２、１５２ａ  当て片
１７０、１７０ａ  延長片
１８  切込部
１８０、１８１、１８２  切込線
１９  食品収容部
２  包装袋
２０、２０ａ  熱溶着封止部
２１  上部ガゼット部
２１０  シール部
２１１、２１２  把手穴
２２  上部開口部
２３  下部ガゼット部
２３０  中央折り曲げ部
２３１、２３２  底折り曲げ部
２３３、２３４  シール部
２３３ａ、２３４ａ  シール部
２３５、２３６、２３７  フィルム
Ｐ１、Ｐ２、Ｐ３、Ｐ４  交点
３  カップ入り飲料
４  容器入りハンバーガー
【図１】
2015058956.tif 000003
【図２】
2015058956.tif 000004
【図３】
2015058956.tif 000005
【図４】
2015058956.tif 000006
【図５】
2015058956.tif 000007
【図６】
2015058956.tif 000008
【図７】
2015058956.tif 000009